(57)【特許請求の範囲】
【請求項１】
％ＣA５以下の鉱油系基油及び／又はポリブテン、ポリオレフィン、二塩基酸エステル、エーテル及びポリグリコールから選ばれる合成油系基油に対し、組成物全量に基づき、（Ａ）アミン系酸化防止剤０．０１〜５重量％、（Ｂ）フェノール系酸化防止剤０．０１〜５重量％、（Ｃ）炭素数３〜３０のアルキル基又はアルケニル基を有する脂肪族リン酸エステル若しくはそれらのアミン塩、炭素数６〜３０のアリール基を有する芳香族リン酸エステルから選ばれる一種以上のリン酸エステル０．０１〜５重量％、及び（Ｄ）多価アルコールエステル又は脂肪酸アミドと多価アルコールエステルの混合物０．００１〜５重量％を配合してなる油圧作動油組成物。
【請求項２】
基油が４０℃における動粘度２〜５００ｍｍ2／ｓｅｃであり、かつ粘度指数１００以上のものである請求項１記載の油圧作動油組成物。
【請求項３】
（Ａ）成分のアミン系酸化防止剤が炭素数３〜２０のアルキル基を有するアルキル化ジフェニルアミンである請求項１記載の油圧作動油組成物。
【請求項４】
（Ｂ）成分のフェノール系酸化防止剤が単環フェノール類である請求項１記載の油圧作動油組成物。
【請求項５】
（Ｃ）成分のリン酸エステルが芳香族リン酸エステルである請求項１記載の油圧作動油組成物。
【請求項６】
作動圧力が３０ＭＰａ以上の油圧機器に使用されるものである請求項１記載の油圧作動油組成物。
【発明の詳細な説明】
【技術分野】
【０００１】
本発明は、油圧作動油組成物に関し、さらに詳しくは、高圧下での酸化安定性及び潤滑性能に優れ、長期間使用可能であるとともに、シリンダーのビビリ現象〔油圧作動部において、シリンダーとピストン，ロッドとガイド（シール）の間などで振動や異音を生じる現象〕を解消して安定した作動特性を示す油圧作動油組成物に関するものである。
【背景技術】
【０００２】
油圧作動油は、油圧機器や装置などの油圧システムにおける動力伝達，力の制御，緩衝などの作動に用いられる動力伝達流体であり、また、摺動部分を潤滑する機能も果たしている。
ところで、最近の油圧機器は小型化かつ高出力化が進んでおり、それに伴い、作動圧力は一段と高圧となり（例えば、従来１４〜２０ＭＰａであったものが、現在では３０ＭＰａ以上となる。）、一方油タンクは小容量となってきている。そのため、作動油が受ける熱負荷はこれまで以上に厳しくなり、早期劣化，スラッジ発生，異臭，シリンダーのビビリ現象，作動不良などが問題となってきた。
従来、油圧作動油には、酸化防止能と潤滑性能を合わせもつアルキルジチオリン酸亜鉛（ＺｎＤＴＰ）が使用されてきた。しかしながら、このような油圧作動油においては、該ＺｎＤＴＰが高圧化に伴って気泡の圧縮熱により生じる局部的高温部で熱分解し、その結果、スラッジの発生、このスラッジによる作動不良、あるいは異臭などを引き起こすという問題があった。
【０００３】
そこで、このような問題を解消するために、ＺｎＤＴＰと金属系清浄剤との併用が検討されたが、寿命の点で充分ではなく、また、高圧化による作動時のシリンダーのビビリ現象の問題も未解決であった。
【発明の開示】
【発明が解決しようとする課題】
【０００４】
本発明は、このような状況下で、高圧化に伴う作動油の早期劣化やスラッジ発生などが効果的に防止され、長期間にわたって使用できるとともに、シリンダーのビビリ現象を解消して安定した作動特性を示す油圧作動油組成物を提供することを目的とするものである。
【課題を解決するための手段】
【０００５】
本発明者らは、前記の好ましい性質を有する油圧作動油組成物を開発すべく鋭意研究を重ねた。その結果、特定の性状の基油に対し、アミン系酸化防止剤，フェノール系酸化防止剤，リン酸エステル及び脂肪酸アミドや多価アルコールエステルを、それぞれ所定の割合で配合することにより、高圧下での酸化安定性及び潤滑性能が向上し、その目的を達成しうることを見出した。本発明は、かかる知見に基づいて完成したものである。
すなわち、本発明は、
（１）％ＣA ５以下の基油に対し、組成物全量に基づき、（Ａ）アミン系酸化防止剤0.０１〜５重量％、（Ｂ）フェノール系酸化防止剤0.０１〜５重量％、（Ｃ）リン酸エステル0.０１〜５重量％、及び（Ｄ）脂肪酸アミド及び／又は多価アルコールエステル0.００１〜５重量％を配合してなる油圧作動油組成物を提供するものである。
【０００６】
また、本発明の好ましい態様は、
（２）基油が、４０℃における動粘度２〜５００ｍｍ2／ｓｅｃであり、かつ粘度指数１００以上のものである上記（１）の油圧作動油組成物、
（３）（Ａ）成分のアミン系酸化防止剤が炭素数３〜２０のアルキル基を有するアルキル化ジフェニルアミンである上記（１），（２）の油圧作動油組成物、
（４）（Ｂ）成分のフェノール系酸化防止剤が単環フェノール類である上記（１）〜（３）の油圧作動油組成物、
（５）（Ｃ）成分のリン酸エステルが芳香族リン酸エステルである上記（１）〜（４）の油圧作動油組成物、及び
（６）作動圧力が３０ＭＰａ以上の油圧機器に使用される上記（１）〜（５）の油圧作動油組成物、
である。
【発明の効果】
【０００７】
本発明の油圧作動油組成物は、高圧下での酸化安定性及び潤滑性能に優れることから、高圧化に伴う作動油の早期劣化やスラッジ発生などを効果的に防止して、長期間にわたって使用できるとともに、シリンダーのビビリ現象を解消して安定した作動特性を示す。
したがって、本発明の油圧作動油組成物は、例えば建設機械や一般産業機械の油圧装置、あるいは水門，水力発電機等の油圧機器などの作動油として好適に用いられる。
【発明を実施するための最良の形態】
【０００８】
本発明の組成物においては、基油として、％ＣA ５以下のものが用いられる。この％ＣA が５を超えるものでは、酸化安定性、特に瞬時の局部的高温熱履歴に対する安定性が悪い。このような酸化安定性の面から、特に％ＣA ３以下のものが好ましい。なお、この％ＣA はｎ−ｄ−Ｍ環分析法により測定した値である。
また、この基油は、４０℃における動粘度２〜５００ｍｍ2／ｓｅｃの範囲にあるものが好ましい。この動粘度が２ｍｍ2 ／ｓｅｃ未満では潤滑性能に劣り、異常摩耗や焼付が生じるおそれがあり、また火災の危険性が高い。一方、５００ｍｍ2 ／ｓｅｃを超えると低温時における粘性抵抗が大きくなり、ポンプへの吸込みが困難となって機械の作動不良をもたらすおそれがある。潤滑性能，火災の危険性及び低温時の粘性抵抗などの面から、より好ましい動粘度は１０〜１００ｍｍ2 ／ｓｅｃの範囲である。
本発明の組成物においては、基油として、％ＣA 及び４０℃における動粘度が上記条件を満たすとともに、粘度指数１００以上のものを用いるのが、作動油組成物の性能の点から特に好ましい。粘度指数１００未満では高温時に粘度が低くなり、潤滑性能が低下し、一方低温時には粘度が高くなり、ポンプの吸込み不良をもたらす。粘度指数１００以上では温度による粘度変化が少なく、特に低温から高温までの使用可能温度領域が広くなる。この効果は粘度指数１１０以上の基油で顕著に認められる。通常の基油にポリマーを配合して高粘度指数化したものは、使用中にポリマーが切断されて粘度指数が低下するが、上記基油には、このような現象は全く認められない。
このような基油としては、例えば常圧蒸留残油や燃料油の脱硫工程で得られる残油を原料とし、減圧蒸留，溶剤脱れき，脱ろう処理を行い、さらに水素化仕上げ，水素化改質、場合によっては溶剤抽出，硫酸処理，白土処理などして得られるパラフィン系基油又はパラフィン系高粘度指数基油、さらにはスラックワックス分の水素化分解によって得られるパラフィン系高粘度指数基油などを挙げることができる。
本発明の組成物においては、上記鉱油系の基油以外にも、合成油系の基油を用いることができる。この合成油としては、例えば、ポリブテン，ポリオレフィン〔α−オレフィン単独重合体や共重合体（例えばエチレン−α−オレフィン共重合体）など〕，各種のエステル（例えば、ポリオールエステル，二塩基酸エステルなど），各種のエーテル，ポリグリコールなどが挙げられる。これらのうち、特にポリオレフィン，ポリオールエステルが好ましい。
これらの基油は一種のみ用いてもよく、二種以上を組み合わせて用いてもよい。
【０００９】
本発明の組成物における（Ａ）成分のアミン系酸化防止剤については特に制限はなく、従来公知のものを用いることができる。このアミン系酸化防止剤としては、例えばジフェニルアミン系のもの、具体的にはジフェニルアミンや、モノオクチルジフェニルアミン；モノノニルジフェニルアミン；４，４’−ジブチルジフェニルアミン；４，４’−ジヘキシルジフェニルアミン；４，４’−ジオクチルジフェニルアミン；４，４’−ジノニルジフェニルアミン；テトラブチルジフェニルアミン；テトラヘキシルジフェニルアミン；テトラオクチルジフェニルアミン；テトラノニルジフェニルアミンなどの炭素数３〜２０のアルキル基を有するアルキル化ジフェニルアミンなど、及びナフチルアミン系のもの、具体的にはα−ナフチルアミン；フェニル−α−ナフチルアミン、さらにはブチルフェニル−α−ナフチルアミン；ヘキシルフェニル−α−ナフチルアミン；オクチルフェニル−α−ナフチルアミン；ノニルフェニル−α−ナフチルアミンなどの炭素数３〜２０のアルキル置換フェニル−α−ナフチルアミンなどが挙げられる。
【００１０】
これらの中で、ナフチルアミン系よりジフェニルアミン系の方が瞬時の高温熱履歴に対して効果が高く、特に炭素数３〜２０のアルキル基を有するアルキル化ジフェニルアミン、とりわけ４，４’−ジ（Ｃ3 〜Ｃ20アルキル）ジフェニルアミンが好適である。
これらのアミン系酸化防止剤は単独で用いてもよく、二種以上を組み合わせて用いてもよい。また、その配合量は、組成物全量に基づき、0.０１〜５重量％の範囲で選定される。この量が0.０１重量％未満では該酸化防止剤を配合した効果が充分に発揮されないおそれがあり、一方５重量％を超えるとその量の割には効果の向上が認められず、むしろ低温時にこのものが析出することがあり、また経済的にも不利である。酸化防止剤としての効果、低温時での析出抑制及び経済性などの面から、このアミン系酸化防止剤の好ましい配合量は、組成物全量に基づき、0.１〜２重量％の範囲である。
【００１１】
本発明の組成物における（Ｂ）成分のフェノール系酸化防止剤については特に制限はなく、従来公知のものを用いることができる。このフェノール系酸化防止剤としては、例えば２，６−ジ−ｔｅｒｔ−ブチル−４−メチルフェノール；２，６−ジ−ｔｅｒｔ−ブチル−４−エチルフェノール；２，４，６−トリ−ｔｅｒｔ−ブチルフェノール；２，６−ジ−ｔｅｒｔ−ブチル−４−ヒドロキシメチルフェノール；２，６−ジ−ｔｅｒｔ−ブチルフェノール；２，４−ジメチル−６−ｔｅｒｔ−ブチルフェノール；２，６−ジ−ｔｅｒｔ−ブチル−４−（Ｎ，Ｎ−ジメチルアミノメチル）フェノール；２，６−ジ−ｔｅｒｔ−アミル−４−メチルフェノール；ｎ−オクタデシル−３−（４’−ヒドロキシ−３’，５’−ジ−ｔｅｒｔ−ブチルフェニル）プロピオネートなどの単環フェノール類、４，４’−メチレンビス（２，６−ジ−ｔｅｒｔ−ブチルフェノール）；４，４’−イソプロピリデンビス（２，６−ジ−ｔｅｒｔ−ブチルフェノール）；２，２’−メチレンビス（４−メチル−６−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）；２，２’−メチレンビス（４−エチル−６−ｔｅｒｔ−ブチルフェノール）；４，４’−ブチリデンビス（３−メチル−６−ｔｅｒｔ−ブチルフェノール）；２，２’−チオビス（４−メチル−６−ｔｅｒｔ−ブチルフェノール）；４，４’−チオビス（３−メチル−６−ｔｅｒｔ−ブチルフェノール）などの多環フェノール類などが挙げられる。
これらの中で、高圧下での瞬時の高温熱履歴に対して効果が高い点から、単環フェノール類が好適である。
【００１２】
これらのフェノール系酸化防止剤は単独で用いてもよく、二種以上を組み合せて用いてもよい。また、その配合量は、組成物全量に基づき、0.０１〜５重量％の範囲で選定される。この量が0.０１重量％未満では該酸化防止剤を配合した効果が充分に発揮されないおそれがあり、一方５重量％を超えるとその量の割には効果の向上が認められず、むしろ低温時にこのものが析出することがあり、また経済的にも不利である。酸化防止剤としての効果、低温時での析出抑制及び経済性などの面から、このフェノール系酸化防止剤の好ましい配合量は、組成物全量に基づき、0.１〜２重量％の範囲である。
本発明においては、上記のアミン系酸化防止剤とフェノール系酸化防止剤とを併用することが必要であり、これにより、高圧下での瞬時の高温熱安定性が飛躍的に向上する。該アミン系酸化防止剤とフェノール系酸化防止剤との使用割合は、重量比１：９ないし９：１の範囲で適宜選定するのがよい。
本発明の組成物においては、（Ｃ）成分としてリン酸エステルが用いられる。このリン酸エステルは、潤滑性能を向上させるためのものであり、その種類については特に制限はなく、従来、極圧剤などとして使用されている公知のものを用いることができる。このようなものとしては、例えばトリイソプロピルホスフェート，トリブチルホスフェート，トリヘキシルホスフェート，トリ−２−エチルヘキシルホスフェート，トリラウリルホスフェート，トリステアリルホスフェート，トリオレイルホスフェートなどの炭素数３〜３０のアルキル基もしくはアルケニル基を有する脂肪族リン酸エステル、もしくはそれらのアミン塩、さらにはトリフェニルホスフェート，トリクレジルホスフェート，トリキシレニルホスフェートなどの炭素数６〜３０のアリール基を有する芳香族リン酸エステルなどが挙げられる。
【００１３】
これらの中で、特に芳香族リン酸エステルが、高温熱安定性及び摩耗防止効果に優れるなどの点から好適である。
このリン酸エステルは単独で用いてもよく、二種以上を組み合わせて用いてもよい。また、その配合量は、組成物全量に基づき、0.０１〜５重量％の範囲で選ばれる。この量が0.０１重量％未満では焼付防止や摩耗防止効果が充分に発揮されないおそれがあり、また、５重量％を超えるとその量の割には効果の向上が認められず、むしろ経済的に不利となる。焼付防止や摩耗防止効果及び経済性などの面から、このリン酸エステルの好ましい配合量は、組成物全量に基づき、0.１〜２重量％の範囲である。
本発明の組成物においては、（Ｄ）成分として、脂肪酸アミド及び／又は多価アルコールエステルが用いられる。この（Ｄ）成分は、主としてシリンダーのビビリ現象を防止する作用を有するものであり、脂肪酸アミドとしては、例えばイソステアリン酸トリエチレンテトラミド，イソステアリン酸テトラエチレンペンタミド，オレイン酸ジエチレントリアミド，オレイン酸ジエタノールアミドなど、炭素数１〜２４の飽和若しくは不飽和脂肪酸と脂肪族アミン，芳香族アミン，ポリアルキレンポリアミンなどとの反応物が挙げられる。一方、多価アルコールエステルとしては、例えばトリメチロールプロパンモノオレエート，トリメチロールプロパンジオレエート，ペンタエリスリトールモノオレエート，ペンタエリスリトールテトラオレエート，オレイン酸モノグリセリド，ソルビタンモノオレエート，ソルビタンセスキオレエートなど、ネオペンチルグリコール，トリメチロールプロパン，ペンタエリスリトール，ジペンタエリスリトール，ソルビタン，ソルビトール，グリセリンなどの多価アルコールと炭素数１〜２４の飽和若しくは不飽和脂肪酸との完全又は部分エステルなどを挙げることができる。
【００１４】
本発明の組成物においては、この（Ｄ）成分として、上記の脂肪酸アミドを単独で用いても、二種以上を組み合せて用いてもよく、また、多価アルコールエステルを単独で用いても、二種以上を組み合わせて用いてもよい。さらには、脂肪酸アミド一種以上と多価アルコールエステル一種以上とを併用してもよい。
この（Ｄ）成分の配合量は、組成物全量に基づき、0.００１〜５重量％の範囲で選定される。この量が0.００１重量％未満ではシリンダーのビビリ現象防止効果が充分に発揮されないおそれがあり、一方５重量％を超えるとその量の割には効果の向上が認められず、むしろ酸化安定性が低下するとともに、経済的にも不利となる。シリンダーのビビリ現象防止効果、酸化安定性及び経済性などの面から、この（Ｄ）成分の好ましい配合量は、組成物全量に基づき、0.０１〜２重量％範囲である。また、（Ｄ）成分として、脂肪酸アミドと多価アルコールエステルとの併用がシリンダーのビビリ現象防止の点で好ましい。この際、脂肪酸アミドと多価アルコールエステルとの使用割合は、重合比５：９５ないし９５：５の範囲で適宜選ぶのがよい。
【００１５】
本発明の油圧作動油組成物には、本発明の目的が損なわれない範囲で、必要に応じてその他の添加剤、例えばポリメタクリレートやα−オレフィン系共重合体などの粘度指数向上剤、ポリメタクリレートや、塩素化パラフィンとナフタレンとの縮合物などの流動点降下剤、各種脂肪酸類，アルコール類，エステル類など油性剤、アルカリ金属又はアルカリ土類金属のスルホネート，フェネート，ホスフォネート，サリチレートなどの金属系清浄剤、コハク酸イミド類，ホウ素含有コハク酸イミド類，ベンジルアミン類，ホウ素含有ベンジルアミン類などの無灰系分散剤、硫化油脂，ポリスルフィド，アルキルリン酸エステルアミン塩，塩素化パラフィンなどの極圧剤、アルケニルコハク酸エステルやスルホネート類などの防錆剤、ベンゾトリアゾール誘導体やチアジアゾール誘導体などの金属不活性化剤、シリコーンオイル，ポリアクリレート，有機フッ素化合物などの消泡剤などを適宜配合することができる。
各添加剤の配合量は、通常組成物全量に基づき0.０１〜５重量％、好ましくは0.０１〜２重量％の範囲である。
本発明の油圧作動油組成物は、高圧下での酸化安定性及び潤滑性能に優れ、特に作動圧力が３０ＭＰａ以上の油圧機器に好適に用いられる。そして、高圧化に伴う作動油の早期劣化やスラッジ発生などを効果的に防止して長期間にわたって使用することができ、またシリンダーのビビリ現象を解消して安定した作動特性を示す。
【実施例】
【００１６】
次に、本発明を実施例によりさらに詳しく説明するが、本発明は、これらの例によってなんら限定されるものではない。
【００１７】
実施例１〜４及び比較例１〜５
基油として、以下に示す性状を有する基油Ｉ〜III を用いた。
基油Ｉ：  水素化改質油；４０℃動粘度４６ｍｍ2／ｓｅｃ，粘度指数１２０，％ＣA
0.１
基油II：  水素化仕上げ油；４０℃動粘度４６ｍｍ2 ／ｓｅｃ，粘度指数１０５，％Ｃ
A 2.５
基油III ：  溶剤精製油；４０℃動粘度４６ｍｍ2 ／ｓｅｃ，粘度指数９８，％ＣA 7.              ０
（％ＣA ：ｎ−ｄ−Ｍ環分析法による）
第１表に示す組成の油圧作動油を調製し、その性能を以下に示す方法に従って評価した。結果を第１表に示す。
【００１８】
＜性能評価＞
（１）高圧熱安定性試験
高圧用ポンプを用いた油圧回路において、タンクに空気を吹込み、気泡を含んだ油を瞬時に３５ＭＰａまで昇圧して気泡の圧縮熱で局部的に熱履歴を与えた。そして、作動油の高圧時の熱安定性を、７２０時間後に油中に発生したスラッジ量（ミリポア値）を測定することで評価した。
（２）ポンプの摩耗試験
ベーンポンプ（ビッカース社製，Ｖ−１０４Ｃ）を用いて、１４ＭＰａ，２５０時間後のベーンとカムリングの摩耗量を測定した。
（３）シリンダービビリ特性試験
シリンダーのパッキン材を半球状にし、これに５〜２０ニュートン（Ｎ）の荷重を加えて、クロムメッキ鋼板上で２５ｍｇの作動油の存在下、往復動させた際の摩擦力の変動状態を観察し、ビビリ現象の有無を判定した。
【００１９】
【表１】
0004689583.tif 000002
【００２０】
【表２】
0004689583.tif 000003
【００２１】
〔注〕
アミン系酸化防止剤：  ４，４’−ジオクチルジフェニルアミン
フェノール系酸化防止剤：  ２，６−ジ−ｔｅｒｔ−ブチル−４−メチルフェノール
リン酸エステル：  トリクレジルホスフェート
脂肪酸アミド：  イソステアリン酸トリエチレンテトラミド
多価アルコールエステル：  ソルビタンモノオレエート
その他：  防錆剤，金属不活性化剤，粘度指数向上剤，無灰分散剤など
第１表から、以下に示すことが分かる。すなわち、実施例１は、比較例１，２及び３と比べて、高圧熱安定性に優れており（低スラッジ量）、かつポンプの耐摩耗性，シリンダーの耐ビビリ特性も良好である。実施例２及び３は、シリンダーのビビリ特性については、脂肪酸アミド及び多価アルコールエステルのいずれか一つでも良いことを示すが、脂肪酸アミドと多価アルコールエステルとの併用がさらに効果的である。実施例４は％ＣA 2.５の基油を使用したものであるが、高圧熱安定性は比較的良好である。比較例１〜５は、高圧熱安定性，耐摩耗性及びビビリ特性のいずれかの特性が不良である。
【００２２】
比較例６
市販のＺｎＤＴＰ系耐摩耗性作動油について、上記と同様にして性能を評価した。その結果、高圧熱安定性試験におけるスラッジ量は３００ｍｇ／１００ミリリットル，ポンプ摩耗試験における摩耗量は５ｍｇであり、シリンダービビリ特性試験ではビビリ現象が認められた。すなわち、この作動油は、高圧熱安定性試験でＺｎＤＴＰが熱分解して、スラッジ量が特に多くなり、また、ビビリ現象も解消されてないことが分かる。